(57)【特許請求の範囲】
【請求項１】
籾摺部Ａ及び摺落米風選部Ｂを機体の前部に、揺動選別装置１５で構成されている混合米選別部Ｃを機体後部に、夫れ夫れ配置し、機体の最後部に玄米揚穀機３を配置し、機体の前部に位置している主モータ２９から機体の最後部に位置している玄米揚穀機３に動力伝達するにあたり、上記主モータ２９から籾摺ロール５，５を駆動すべく伝動ベルト３７を巻き掛けて設け、多段に構成された揺動選別板１６の下方に配置されていて且つ機体の前後方向に対して直交する左右横方向に沿わせて配置した揺動軸４５の一側方のうち揺動選別板１６の供給側下方に揺動プーリ４６を取り付けると共に、上記伝動ベルト３７によって駆動される中間プーリ４７を駆動元として該揺動プーリ４６を駆動する揺動伝動ベルト４８を巻き掛け、次いで、揺動軸４５の左右横方向の他側方である揺動選別板１６の排出側下方に設けられた中継プーリ４９を介して揺動選別板１６の排出側に設けられた玄米揚穀機３の下部プーリ５０に動力が伝達されることを特徴とする籾摺選別機の伝動装置。
【発明の詳細な説明】
【０００１】
【産業上の利用分野】
この発明は、籾摺選別機において、機体最後部に配置されている玄米揚穀機へ動力を伝達する伝動装置に関するものである。
【０００２】
【従来の技術】
籾摺部，摺落米風選部及び混合米揚穀機を機体の前部に、揺動選別装置を機体後部に夫れ夫れ配置し、機体の最後部に玄米揚穀機を配置した籾摺選別機がある。このような籾摺選別機において、揺動選別装置の揺動選別板の穀粒選別方向である揺動方向を機体の前後方向に沿わせた状態とし、揺動選別板の供給側及び排出側を結ぶ流動方向を機体の左右方向に沿わせたものがある。このように構成されているものにあっては、揺動選別装置の揺動選別板を揺動する揺動プ−リの取り付けられている揺動軸を機体の左右方向に沿わせて配置し、機体の前部の主モ−タから揺動軸に伝達された回転力を揺動選別板の供給側から機体後方に取り出し、機体後部に設けられている玄米揚穀機へ動力を伝達する構成であつた。
【０００３】
【発明が解決しようとする課題】
このような従来装置にあつては、機体の最後部に位置している玄米揚穀機は、揺動選別板の排出側から取り出された玄米を受けて機外に取り出すものであるため、左右方向の一側に位置しており、また、動力の伝動関係を見ると、機体の前部から機体の左右方向である他側に沿わせて設けられている伝動ベルトから揺動選別板を揺動する揺動軸に動力を伝達すると共に、この揺動軸の左右方向他側から玄米揚穀機に動力を伝達する構成であつた。従って、玄米揚穀機の受動軸を機体の左右方向一側方から他側方へ延長する必要があり、機体の最後部下方に玄米揚穀機の受動軸が露出した状態となり、作業者の邪魔になるという問題点があつた。そこで、この発明は、玄米揚穀機の受動軸が機体最後部において露出するのを防止し、作業者の籾摺選別機周辺の移動を容易にしようとするものである。
【０００４】
【課題を解決するための手段】
この発明は、このような従来技術のもつ問題点を解決するために、次の技術的手段を講じた。即ち、この発明は、籾摺部Ａ及び摺落米風選部Ｂを機体の前部に、揺動選別装置１５で構成されている混合米選別部Ｃを機体後部に、夫れ夫れ配置し、機体の最後部に玄米揚穀機３を配置し、機体の前部に位置している主モータ２９から機体の最後部に位置している玄米揚穀機３に動力伝達するにあたり、上記主モータ２９から籾摺ロール５，５を駆動すべく伝動ベルト３７を巻き掛けて設け、多段に構成された揺動選別板１６の下方に配置されていて且つ機体の前後方向に対して直交する左右横方向に沿わせて配置した揺動軸４５の一側方のうち揺動選別板１６の供給側下方に揺動プーリ４６を取り付けると共に、上記伝動ベルト３７によって駆動される中間プーリ４７を駆動元として該揺動プーリ４６を駆動する揺動伝動ベルト４８を巻き掛け、次いで、揺動軸４５の左右横方向の他側方である揺動選別板１６の排出側下方に設けられた中継プーリ４９を介して揺動選別板１６の排出側に設けられた玄米揚穀機３の下部プーリ５０に動力が伝達されることを特徴とする籾摺選別機の伝動装置の構成としたものである。
【０００５】
【実施例】
以下、図面に示すこの発明の実施例について説明する。まず、図１及び図４に示す実施例の構成について説明する。この籾摺選別機は、籾摺をする籾摺部Ａ，籾摺部Ａからの摺落米を風選する摺落米風選部Ｂ，摺落米風選部Ｂでの風選後の混合米を籾・玄米に分離選別する混合米選別部Ｃ，穀粒を揚穀搬送する揚穀搬送部Ｄにより構成されていて、籾摺部Ａを機体の前上部に、また、摺落米風選部Ｂを前下部に配置すると共に、摺落米風選部Ｂの吸引フアン１を籾摺部Ａの前方に配置し、籾摺部Ａ及び摺落米風選部Ｂの一横側部に揚穀搬送部Ｄの混合米揚穀機２を配置し、後部には混合米選別部Ｃを配置し、混合米選別部Ｃの後方には、揚穀搬送部Ｄの玄米揚穀機３を配置する構成である。
【０００６】
籾摺部Ａは、籾ホッパ４，籾摺ロール５，５，拡散板の内装されている籾摺室６等で構成されている。次に、摺落米風選部Ｂについて説明すると、摺落米風選部Ｂを構成する摺落米風選箱体７の後部には、上方の籾摺室６から摺落米が流下して、摺落米風選路８の選別始端側に供給され、終端側ほど高位の斜設された摺落米風選路８で摺落米は風選される構成である。この摺落米風選路８の始端側下方には、選別された摺落米を受ける摺落米受樋９が設けられおり、また、終端側下方には、粃米を受ける粃米受樋１０が設けられている。摺落米風選路８を始端側から終端側へ流れた選別風は、吸引フアン１，排塵筒１１を経て機外へ排出される構成である。粃米受樋１０に落下選別された粃米は、粃揚穀機１２で籾ホッパ４に揚穀還元され、また、摺落米受樋９に落下選別された摺落米は、摺落米ラセン１３で横一側方に搬送されて混合米揚穀機２の下部に流入し、混合米揚穀機２で揚穀されて混合米ホッパ１４に供給される。なお、この混合米ホッパ１４は、バネ（図示省略）により上下動自在に支持されていて、この混合米ホッパ１４と籾摺部Ａの籾供給調節弁（図示省略）とは、ロッドやアーム等の連動部材（図示省略）を介して連動連結されていて、混合米ホッパ１４内の混合米が増減し混合米ホッパ１４が上下動すると、籾供給調節弁（図示省略）が関連的に減増調節される構成である。
【０００７】
次に、揺動選別装置１５で構成されている混合米選別部Ｃについて説明する。多段の揺動選別板１６，１６，…は、穀粒の流下方向である縦方向（図１の紙面に直交する方向）及び縦方向に直交する選別方向である横方向の２面とも傾斜した構成として、横方向を機体の前後方向（図１の左右方向）に沿わせた状態で、機体の後部に配置されていて、揺動アーム１７ａ，１７ａで横方向に斜上下の往復動される構成である。混合米ホッパ１４の混合米は、分配樋１７，分配ケース１８を経て、揺動選別板１６，１６，…の縦方向の高い供給側で、且つ、横方向の低い揺下側に構成されている供給口から、揺動選別板１６，１６，…に供給される構成である。揺動選別板１６，１６，…の縦方向排出側には、玄米仕切板１９及び籾仕切板２０が設けられていて、揺動選別板１６，１６，…の横方向揺上側の玄米分布流域，横方向中間部の混合米分布流域及び横方向揺下側の籾分布流域に分布する穀粒が、夫れ夫れ玄米仕切板１９及び籾仕切板２０で玄米，混合米及び籾に仕切られる構成である。このように仕切られた玄米は、玄米受樋２１に流下し、玄米流路２２を経て後方の揚穀搬送部Ｄの玄米揚穀機３の下部に流入し、玄米揚穀機３で揚穀されて、機体後部から機外に取り出されるものである。また、玄米仕切板１９と籾仕切板２０とで仕切られた混合米は、混合米受樋２３，混合米流路２４，摺落米受樋９の摺落米移送ラセン１３を経て、揚穀搬送部Ｄの混合米揚穀機２の下部に流入して揚穀され、混合米ホッパ１４，分配樋１７，分配ケース１８を経て、揺動選別板１６，１６，…に供給されて再選別されるものである。また、籾仕切板２０で仕切られた籾は、籾受樋２５から籾流路２６を経て揚穀搬送部Ｄの籾揚穀機２７に流入し、籾揚穀機２７で揚穀されて籾摺部Ａに還元され、再度の籾摺がされる構成である。摺落米風選部Ｂに設けられている摺落米ラセン１３に籾揚穀機２７のスロ−ワ翼を一体的に取り付ける構成であるが、籾揚穀機２７の下部のスロ−ワ翼を内装するケース部分２７ａが側面視で摺落米風選部Ｂの摺落米風選箱体７内に収まっているので、摺落米風選部Ｂを混合米選別部Ｃと分割して輸送する場合にも、籾揚穀機２７の下部のケ−ス部分２７ａの破損を比較的少なくして輸送できる。
【０００８】
次に、図２及び図４に基づき籾摺選別機の伝動装置について説明する。摺落米風選部Ｂ前下部には主モータ２９を配置し、主モータ２９の原動プ−リ３０から、中間プ−リ３１，籾摺ロール５，５に一体的に設けられている籾摺プ−リ３２，３３，第２中間プ−リ３４，粃米ラセン軸３５に取り付けられている粃大プ−リ３６に、伝動ベルト３７が巻き掛けられている。粃米ラセン軸３５に取り付けられている粃小プ−リ３８と混合米揚穀機２の下部プ−リと一体的な混合米プ−リ３９とに第２伝動ベルト４０を巻き掛けかけ、また、混合米揚穀機２の下部プ−リと一体的な混合米小プ−リ４１と摺落米ラセン軸４２に一体的に取り付けられている摺落米プ−リ４３とに第３伝動ベルト４４を巻き掛けている。４５は、揺動選別板１６を揺動する揺動軸で、この揺動軸４５は、揺動選別板１６の下方で、且つ、機体の前後方向に直交する左右横方向に沿わせて配置し、揺動軸４５における揺動選別板１６の供給側下方である一側方に揺動プ−リ４６を取り付け、この揺動プ−リ４６と、第２中間プ−リ３４に一体な第２小中間プ−リ４７とに揺動伝動ベルト４８を巻き掛けて、揺動選別装置１５に動力を伝達する構成とし、また、揺動軸４５の左右横方向の他側方である揺動選別板１６の排出側下方に中継プ−リ４９を取り付け、この中継プ−リ４９と玄米揚穀機３における下部プ−リ５０に一体の玄米プ−リ５１とに伝動ベルト５２を巻き掛けて、玄米揚穀機３に動力を伝達する構成である。
【０００９】
次に、図５乃至図７に基づき、籾揚穀機２７及び粃揚穀機１２の籾還元流路２８への還元供給状態について説明する。籾揚穀機２７の筒の先端部を横側方から籾還元流路２８に連通し、また、粃揚穀機１２の筒の先端部を籾還元流路２８で且つ籾揚穀機２７の還元部近傍に還元する構成としている。従って、還元籾と還元粃とが混合されながら籾摺ロール５，５へ供給され、粃の脱ぷ率を向上させることができる。また、図８に示すように、籾揚穀機２７及び粃揚穀機１２で、籾及び粃を籾還元流路２８へ還元するにあたり、籾揚穀機２７の筒の先端部を横側方から籾還元流路２８に連通し、また、粃揚穀機１２の筒の先端部を籾還元流路２８で且つ籾揚穀機２７の還元部近傍下方に還元する構成とすると、軽くて還元の停滞しがちな粃が、上方から流下する籾により流下が促進され、粃の籾還元流路２８の流下が円滑化する。
【００１０】
次に、図９及び図１０に基づき、籾摺ロール５，５の間隙を拡げて籾摺しない状態としたり、あるいは、狭めて籾摺作業状態とに切替るロール展開レバー５３について説明する。ロール展開軸５４を機体の横一側方に延長して、ロール展開軸５４の延長部に上方に突出するロール展開レバー５３を取り付け、籾ホッパ４の横側方は、カバー５５で被覆し、そのカバー５５の上面部５５ａを籾ホッパ４の上端と略同じ高さとし、カバー５５の上面部５５ａを籾ホッパ４に籾を供給する際の持たせかける台にできる構成としている。カバー５５の上面部５５ａには、展開長孔５６を構成し、また、ロール展開レバー５３を中途部から折りたたみ自在とし、ロール展開レバー５３を上方に延長すると、展開長孔５６からロール展開レバー５３の上部がカバー５５の上面部５５ａから上方に突出する構成とし、ロール展開レバー５３を折りたたむと、カバー５５の上面部５５ａからロール展開レバー５３がカバー５５内に収納された状態となり、籾ホッパ４への籾供給の邪魔にならない構成である。
【００１１】
次に、図１１に基づき、摺落米風選部Ｂの摺落米風選箱体７内への部品の収納について説明する。摺落米風選箱体７内の摺落米風選路８を構成する選別板５７の先端部を、移動選別板５７ａとして、移動選別板５７ａを後方（右側）へ移動させると、摺落米風選箱体７の前部の空間部５８が拡大される構成とし、この空間部５８に混合米ホッパ１４，排塵筒１１あるいは張込ホッパ（図示省略）等の付属部品を、空間部５７内の係止具（図示省略）で固定したり、あるいは、発砲スチロ−ル等の補助在で固定状態とし、製品運送時の製品空間の減少を図るものである。
【００１２】
次に、図１２について説明する。摺落米風選箱体７の横側方に設けているカバー５９には、断熱材で構成した保管ボックス６０を構成して、保管ボックス６０内にジュ−ス等を保管するものであり、また、カバー５９の上面部６０ａには、灰皿凹部６１を構成し、灰皿凹部６１にそのまま、あるいは、灰皿（図示省略）を載置し、たばこの吸い殻を収納する。
【００１３】
次に、図１３に基づき、伝動装置に設けられていて回転数を調節するシムについて説明する。第２小中間プ−リ４７等の任意の伝動プ−リ６２を左右の割プ−リ６２ａ，６２ｂとして、その中間部にシム６３を挿入あるいは取り除くことにより、プ−リ径を拡大縮小して回転数を調節するものであり、この円形のシム６３を２分割して、分割シム６３ａ，６３ｂとし、中央部に軸部の嵌入する半円形の穴部６３ｃ，６３ｃを構成している。シム６３を着脱する際には、一方の割プ−リ６２ｂのボルト６４を緩めて軸方向に少し移動し、割プ−リ６２ａ，６２ｂ間に分割シム６３ａ，６３ｂを挿入したり、あるいは、取り外すことにより、シム６３の装着取り外しができ、割プ−リ６２ｂを軸から取り外さないと、シムの着脱ができない従来装置に比較し、着脱が容易となる。
【００１４】
次に、図１乃至図４に示す実施例の作用について説明する。籾摺選別機で籾摺選別作業をする場合には、機体の回転各部を駆動し、籾ホッパ４に籾を供給し、籾摺部Ａの籾供給調節弁（図示省略）を開けると、籾が籾摺ロール５，５に供給され、互いに反対方向に回転している籾摺ロール５，５で籾摺され、拡散板で拡散された摺落米は下方の摺落米風選部Ｂの摺落米風選路８に供給され、摺落米風選路８を流れている選別風により選別され、軽い籾殻は摺落米風選路８の終端側に流れて、吸引フアン１及び排塵筒１１を経て機外に排出され、また、比較的軽い粃米は粃受樋１０に落下選別され、また、重い籾・玄米の混合米は摺落米受樋９に流下選別される。ついで、摺落米受樋９に選別された摺落米は、摺落米ラセン１３で横一側方に搬送されて、混合米揚穀機２の下部に流入して揚穀され、混合米ホッパ１４に供給され、次いで、分配樋１７及び分配ケース１８を経由して、揺動選別板１６，１６，…に供給される。
【００１５】
このようにして、揺動選別板１６，１６，…に供給された混合米は、揺動アーム１７ａ，１７ａの横方向斜上下の往復揺動により、粒形の大小，比重の大小あるいは摩擦抵抗の差異等により選別されて、横方向の揺上側である玄米分布流域に偏流分布した玄米は、玄米仕切板１９で仕切られて取り出されて、玄米受樋２１，玄米流樋２２を経て玄米揚穀機３の下部に流入し、玄米揚穀機３で揚穀されて機外に取り出され、また、揺動選別板１６，１６，…の横方向中間部である混合米分布流域に偏流分布した混合米は、玄米仕切板１９と籾仕切板２０とで仕切られて取り出され、混合米は混合米受樋２３，混合米流路２４を経て、混合米揚穀機２の下部に流入して揚穀され、混合米ホッパ１４，分配樋１７，分配ケース１８を経て、揺動選別板１６，１６，…に供給されて再選別される。また、揺動選別板１６，１６，…の横方向揺下側の籾分布流域に偏流分布した籾は、籾仕切板２０で仕切られて取り出され、籾受樋２５，籾流路２６，籾揚穀機２７を経て籾摺部Ａに揚穀還元されて、再度籾摺される。
【００１６】
次に、伝動関係の作用について説明する。主モータ２９の原動プ−リ３０から伝動ベルト３７を介して、籾摺プ−リ３２，３３が駆動されて、籾摺ロール５，５が回転すると共に、伝動ベルト３７を介して粃大プ−リ３６が回転されて、粃米ラセン軸３５が回転し、次いで、粃大プ−リ３６，粃小プ−リ３８，第２伝動ベルト４０，混合米プ−リ３９により、混合米揚穀機２が回転駆動され、次いで、混合米プ−リ３９，混合米小プ−リ４１，第３伝動ベルト４４，摺落米プ−リ４３を介して、籾揚穀機２７及び摺落米ラセン１３が回転駆動され、次いで、第２中間プ−リ３４，第２小中間プ−リ４７，揺動伝動ベルト４８，揺動プ−リ４６を介して揺動軸４５が回転し、揺動アーム１７ａ，１７ａが揺動して、揺動選別装置１５が駆動され、次いで、揺動軸４５，中継プ−リ４９，伝動ベルト５２，玄米プ−リ５１を介して、玄米揚穀機２が駆動される。
【００１７】
このようにして、主モータ２９から玄米揚穀機３へ動力が伝達されるのであるが、主モータ２９の原動プ−リ３０から揺動選別板１６の下方で、且つ、機体の前後方向に直交する左右横方向に沿わせて配置した揺動軸４５における揺動選別板１６の供給側下方である一側方に設けられている揺動プ−リ４６に伝達された動力は、揺動軸４５の左右横方向の他側方である揺動選別板１６の排出側下方に設けられた中継プ−リ４９を介して、玄米揚穀機３の玄米プ−リ５１に伝達されて、玄米揚穀機３が駆動されるので、玄米揚穀機３の動力取入軸を機体の左右方向一側方から他側方へ延長する必要がなくなり構成が簡素化し、機体の最後部下部に玄米揚穀機３の動力取入軸が露出して作業者の邪魔になるようなこともなく、作業者の籾摺選別機周辺の移動を容易にすることができる。
【００１８】
【発明の効果】
この発明は、機体前部に位置している主モータ２９から機体最後部の玄米揚穀機３に動力を伝達するにあたり、揺動選別板１６の下方に位置していて且つ機体の左右横方向に沿わせて配置している揺動軸４５における揺動選別板１６の供給側下方である一側方に伝達し、次いで、揺動軸４５の左右横方向の他側方である揺動選別板１６の排出側下方に設けられた中継プ−リ４９を介して玄米揚穀機３に伝達されるので、機体の左右横方向他側の揺動選別板１６の排出側に位置している玄米揚穀機３への動力伝達が合理化されて、玄米揚穀機３の動力取入軸を機体の左右横方向他側方から一側方へ延長する必要がなく、機体の最後部下部に玄米揚穀機３の動力取入軸が露出して作業者の邪魔になるようなこともなく、作業者の籾摺選別機周辺の移動を容易にすることができる。
また、揺動軸４５は多段に構成された重い揺動選別板１６を駆動するため、慣性力が大きい状態で玄米揚穀機３を駆動でき、該玄米揚穀機３の穀粒詰りを少なくできる。
【図面の簡単な説明】
【図１】切断側面図
【図２】切断正面図
【図３】平面図
【図４】切断側面図
【図５】切断側面図
【図６】切断正面図
【図７】切断平面図
【図８】切断側面図
【図９】切断側面図
【図１０】平面図
【図１１】切断側面図
【図１２】斜視図
【図１３】斜視図及び正面図
【符号の説明】
Ａ  籾摺部
Ｂ  摺落米風選部
Ｃ  混合米選別部
Ｄ  揚穀搬送部
１  吸引フアン
２  混合米揚穀機
３  玄米揚穀機
４  籾ホッパ
５  籾摺ロール
６  籾摺室
７  摺落米風選箱体
８  摺落米風選路
９  摺落米受樋
１０  粃受樋
１１  排塵筒
１２  粃揚穀機
１３  摺落米ラセン
１４  混合米ホッパ
１５  揺動選別装置
１６  揺動選別板
１７  分配樋
１８  分配ケース
１９  玄米仕切板
２０  籾仕切板
２１  玄米受樋
２２  玄米流路
２３  混合米受樋
２４  混合米流路
２５  籾受樋
２６  籾流路
２７  籾揚穀機
２８  籾還元流路
２９  主モータ
３０  原動プ−リ
３１  中間プ−リ
３２  籾摺プ−リ
３３  籾摺プ−リ
３４  第２中間プ−リ
３５  粃ラセン軸
３６  粃大プ−リ
３７  伝動ベルト
３８  粃小プ−リ
３９  混合米プ−リ
４０  第２伝動ベルト
４１  混合米小プ−リ
４２  摺落米ラセン軸
４３  摺落米プ−リ
４４  第３伝動プ−リ
４５  揺動軸
４６  揺動プ−リ
４７  第２小中間プ−リ
４８  揺動伝動ベルト
４９  中継プ−リ
５０  下部プ−リ
５１  玄米プ−リ
５２  伝動ベルト
５３  ロ−ル展開レバー
５４  ロール展開軸
５５  カバー
５５ａ  上面部
５６  展開長孔
５７  選別板
５７ａ  移動選別板
５８  空間部
５９  カバー
６０  保管ボックス
６０ａ  上面部
６１  灰皿凹部
６２  伝動プ−リ
６２ａ  割プ−リ
６２ｂ  割プ−リ
６３  シム
６３ａ，６３ｂ  分割シム
【図１】
0003644600.tif 000002
【図２】
0003644600.tif 000003
【図３】
0003644600.tif 000004
【図４】
0003644600.tif 000005
【図５】
0003644600.tif 000006
【図６】
0003644600.tif 000007
【図７】
0003644600.tif 000008
【図８】
0003644600.tif 000009
【図９】
0003644600.tif 000010
【図１０】
0003644600.tif 000011
【図１１】
0003644600.tif 000012
【図１２】
0003644600.tif 000013
【図１３】
0003644600.tif 000014